(57)【要約】【課題】回転子円板や表示部を視認するために一つの操作を必要とすることで、防犯性の向上を図ることができる電力量計収納ケースを提供する。【解決手段】ケース本体３に、窓８からの視認を遮る閉塞位置と、窓８からの視認を許容する開放位置とに操作可能な前扉２を備えた。そのため、前扉２を閉塞位置とすることにより、窓８からの電力量計の回転子円板や表示部等の視認を遮ることができる。つまり、電力量計の回転子円板や表示部を視認するためには、前扉２を開放位置へ操作する必要がある。したがって、従来では回転子円板等の動きによって在宅の有無が判断されてしまうといった問題が生じていたが、本発明に係る電力量計収納ケース１によれば、回転子円板等を視認するためには上記操作が必要となることから、上記問題が生じるケースを低減することができ、ひいては防犯性の向上を図ることができる。【選択図】図２
2008026277.tif 000002
【特許請求の範囲】
【請求項１】
ケース本体に、内部に設置されている電力量計を視認するための開口部が設けられてなる電力量計収納ケースであって、
前記ケース本体に、前記開口部からの内部の視認を遮る閉塞位置と、前記開口部からの内部の視認を許容する開放位置とに操作可能な扉体を備えたことを特徴とする電力量計収納ケース。
【請求項２】
ケース本体に片開き可能に備えられた扉体にあっては、その後面に、該扉体を閉塞した際に、少なくとも前記ケース本体に設けられた開口部を被覆する被覆部材を設け、
前記扉体の閉塞状態において、前記被覆部材が、前記ケース本体に密着して前記扉体と前記開口部との間への雨水等の進入を防止するようにしたことを特徴とする請求項１に記載の電力量計収納ケース。
【発明の詳細な説明】
【技術分野】
【０００１】
本発明は、ケース本体に、本体内に収納設置される電力量計の検針を行うための窓を備えた電力量計収納ケースに関するものである。
【背景技術】
【０００２】
従来より、引き込み線と各需要家屋との間に設置される電力量計には、回転子円板や該回転子円板の回転測定により計量される電力量を表示するための表示部（指針部）等が設けられている。そして、このような電力量計を収納する電力量計収納ケースには、検針のために上記回転子円板や表示部を視認可能とした開口部（窓）が設けられている（たとえば特許文献１）。
【０００３】
【特許文献１】特開２００４−２５２８２２号公報
【発明の開示】
【発明が解決しようとする課題】
【０００４】
しかしながら、電力量計収納ケースに窓を設けたことで、回転子円板の動き等を誰でも簡単に視認することができるため、回転子円板の動きによって外部者に在宅の有無を判断されてしまうことがあり、防犯性の点において問題となっていた。
また、電力量計収納ケース等を屋外に設置すると、雨水等によって上面に溜まった埃が流れ落ちて窓が汚れ、検針しにくくなるといった問題もあった。
【０００５】
そこで、本発明は、上記問題を解決すべくなされたものであって、回転子円板や表示部を視認するために一つの操作を必要とすることで、防犯性の向上を図ることができる上、雨水等によって窓が汚れることのない電力量計収納ケースを提供しようとするものである。
【課題を解決するための手段】
【０００６】
上記目的を達成するために、本発明のうち請求項１に記載の発明は、ケース本体に、内部に設置されている電力量計を視認するための開口部が設けられてなる電力量計収納ケースであって、前記ケース本体に、前記開口部からの内部の視認を遮る閉塞位置と、前記開口部からの内部の視認を許容する開放位置とに操作可能な扉体を備えたことを特徴とする。
請求項２に記載の発明は、請求項１に記載の発明において、ケース本体に片開き可能に備えられた扉体にあっては、その後面に、該扉体を閉塞した際に、少なくとも前記ケース本体に設けられた開口部を被覆する被覆部材を設け、前記扉体の閉塞状態において、前記被覆部材が、前記ケース本体に密着して前記扉体と前記開口部との間への雨水等の進入を防止するようにしたことを特徴とする。
【発明の効果】
【０００７】
本発明によれば、ケース本体に、開口部からの内部の視認を遮る閉塞位置と、開口部からの内部の視認を許容する開放位置とに操作可能な扉体を備えているため、扉体を閉塞位置とすることにより、開口部からの電力量計の回転子円板や表示部等の視認を遮ることができる。つまり、回転子円板や表示部を視認するためには、扉体を開放位置へ操作する必要がある。したがって、従来では回転子円板等の動きによって在宅の有無が判断されてしまうといった問題が生じていたが、本発明に係る電力量計収納ケースによれば、回転子円板等を視認するためには上記操作が必要となることから、上記問題が生じるケースを低減することができ、ひいては防犯性の向上を図ることができる。
また、請求項２に記載の発明によれば、扉体の後面に、該扉体を閉塞した際に、少なくともケース本体に設けられた開口部を被覆する被覆部材が設けられている。したがって、該被覆部材により、扉体と開口部との間への雨水等の進入を防止することができ、雨水等により開口部（開口部に取り付けられている窓等）が汚れる心配もなく、検針を良好に行うことができる。さらに、扉体の後面に被覆部材を取り付けることにより、扉体の開閉動作に伴い、扉体がケース本体と接触して傷ついてしまうといった事態を防止することができ、電力量計収納ケースの耐久性の向上、使用に伴う美観の劣化防止等といった効果をも奏することができる。
【発明を実施するための最良の形態】
【０００８】
以下、本発明の一実施形態となる電力量計収納ケースについて、図面をもとに説明する。
【０００９】
図１は、電力量計収納ケース１の外観を示した斜視説明図であり、図２は、前扉２を開放した状態における電力量計収納ケース１を示した斜視説明図である。また、図３は、分解状態にある電力量計収納ケース１を左前上方から示した斜視説明図であり、図４は、分解状態にある電力量計収納ケース１を左前下方から示した斜視説明図である。さらに、図５は、前扉５の後面側を示した斜視説明図であり、図６は、カバー部材４を後方から示すとともに、カバー部材４の基板５への取付状態について示した説明図である。
電力量計収納ケース１は、電力量計等（図示しない）を収納可能なステンレス製のケース本体３と、該ケース本体３の前面及び右側面を覆うように取り付けられる前扉２とを備えてなるものであって、ケース本体３は、電力量計等が設置される基板５と、基板５に設置された電力量計等を覆うように前面側に取り付けられるカバー部材４とからなる。
【００１０】
カバー部材４は、後面に開口を有する箱状部材であって、前面には、内部に収納設置される電力量計の回転子円板や電力量表示部等を視認可能とするための窓（開口部）８が設けられている。また、カバー部材４前面の左端部には段部６が設けられており、該段部６内には後述する前扉２の掛止片３７が掛止可能なロックピン４３が突設されている。さらに、前扉２の下面後端縁には、後方へ突出する鉤状の係止片２０が一体的に設けられている。該係止片２０は、ステンレスの特性及び下面に設けられた切り込みによって上下方向へ撓むことができるようになっており、該弾性を利用して基板５に設けられた係止部２１への係脱が可能となっている。尚、窓８には、合成樹脂製のプラスチック板が取り付けられており、内部への水や異物等の侵入の防止、他者による内部機器の操作防止等が図られている。
【００１１】
また、基板５は、電力量計等を設置するための設置台やフランジ等を備えてなるものであって、その正面の左右及び上縁には、該基板５の前方に取り付けられるカバー部材４を位置決めするための周壁２２が設けられている。また、基板５上面の右端部には、前扉２を軸着するための軸４１が突設されている。さらに、基板５下面の右端部には、ヒンジピン４０を挿入可能な小孔４２が穿設されている。加えて、また、基板５前面の下部には、図６に示す如く、カバー部材４の係止片２０と係止可能な係止部２１が設けられている。そして、周壁２２の外周にカバー部材４の後面開口縁を当接させた状態で該係止部２１に係止片２０を係止させることにより、カバー部材４を取付可能としている。
【００１２】
次に、本発明の要部となる前扉２について説明する。
前扉２は、ケース本体３の前面を覆う被覆部２ａと、該被覆部２ａから後方へ一体的に折り曲げられてなり、ケース本体３の右側面を覆う折り曲げ部２ｂとからなるＬ字状の薄板部材であり、ケース本体３の上下方向長さよりも若干上下方向に長く成形されている。前扉２の折り曲げ部２ｂの後端上部には、後述の如きヒンジ孔３１を有するヒンジ板３２が一体的に突設されている一方、前扉２の折り曲げ部２ｂの後端下部には、円形の軸孔３３を備えたヒンジ板３４が一体的に突設されている。
【００１３】
また、前扉２の被覆部２ａの左端下部には、上下方向に長い長孔３５が穿設されているとともに、該長孔３５の後側には、前扉２を閉塞状態にてロックするためのロック機構３６が設けられている。該ロック機構３６は、ケース本体３側に設けられたロックピン４３に掛止する掛止片３７を備えており、長孔３５を介して指等を差し込んで前扉２の左端下部を把持することによって、ロック機構３６が後方へ押圧されて掛止片３７とともに回動するようになっている。さらに、前扉２の被覆部２ａの後面には、略全面に亘ってゴム製の緩衝部材（被覆部材）３８が接着されている。尚、ロック機構３６には付勢手段が内蔵されており、押圧されていない時は常に通常位置へと付勢されている。
【００１４】
上述したような前扉２は、ヒンジ板３２のヒンジ孔３１に、ケース本体３の上面右側縁後端に突設されている軸４１を挿通させるとともに、ヒンジピン４０を、ヒンジ板３４の軸孔３３とケース本体３の下面右側縁後端に穿設されている小孔４２とへ下方から挿入することによって、ケース本体３の右側後端縁を軸として片開き自在に取り付けられる。そして、前扉２は、閉塞状態にてケース本体３の前面、少なくとも窓部８を覆った状態となっており、前扉２を開放しない限り外部から電力量計等を視認できないようになっている。また、前扉２の閉塞状態においては、緩衝部材３８がケース本体３の前面に密着しており、前扉２とケース本体３との間に雨水等が進入しないようになっている。尚、該前扉２において、ヒンジ板３２、３４は折り曲げ部２ｂの上端及び下端よりも内方に設けられており、ケース本体３の上面及び下面に当接させた取付状態において、上下のヒンジ部を正面等から見えにくいようにし、電力量計収納ケース１の美観の向上を図っている。
【００１５】
ここで、上述の如き前扉２とケース本体３（基板５）とのヒンジ部、すなわち軸４１及びヒンジ板３２のヒンジ孔３１の構成について、図７及び８をもとにして説明する。図７は、軸４１及びヒンジ板３２を拡大して示した部分説明図であり、図８は、前扉２の開放状態（ａ）及び閉塞状態（ｂ）におけるヒンジ部を拡大して示した部分説明図である。
軸４１は、横断面が半円形となるように切り欠かれてなる柱状体であって、切り欠き面である平面側を外側に向けた状態で立設されている。一方、ヒンジ孔３１は、軸４１と略同径で且つ中心角が所定の鈍角（たとえば、２４０度）の扇形状、すなわち円孔内に突片（突部）３１ａが突設された形状に形成されている。該ヒンジ孔３１に軸４１を挿通させると、軸４１の切り欠き面がヒンジ孔３１の突片３１ａの回動方向への移動を制限することになり、ヒンジ板３２の回動が６０度の範囲内で制限される。そこで、本実施形態においては、図７（ｂ）に示す如く、前扉２を最大に開放した際に、前扉２の一部が基板５の後側に位置する壁面に接触しないように、すなわちヒンジ部における最大開放角度が９０度以内となるようにヒンジ孔３１の中心角が設定（突片３１ａが突設）されている。
【００１６】
以上のような構成を有する電力量計収納ケース１の組み立てについて説明する。
まず、基板５に電力量計等を含む各種機器を設置した後、カバー部材４の後面開口縁を基板５の周壁２２の外周に当接させた状態で係止部２１に係止片２０を係止させて、カバー部材４を基板５に取り付ける。次に、軸４１に前扉２のヒンジ板３２のヒンジ孔３１を挿通させるとともに、軸孔３３と小孔４２とにヒンジピン４０を下方から挿入して、ケース本体３に前扉２を片開き可能に取り付けると、電力量計収納ケース１の組み立ては完了となる。尚、前扉２の開閉操作については、掛止片３７が段部６内にあるロックピン４３に掛止するまで前扉２を閉塞方向へ押してやれば、付勢力に反して掛止片３７が通常位置から回動して自然とロックピン４３に掛止して閉塞状態となる。また、開放したい場合には、長孔３５等から指を挿入し、指先等にてロック機構３６を押圧しながら前扉２の左端部を把持すれば、付勢力に抗してロック機構３６が掛止片３７とともに回動し、掛止片３７とロックピン４３との掛止状態が解除されて、前扉２を開放可能な状態とすることができるようになる。
【００１７】
上述の如き電力量計収納ケース１によれば、ケース本体３の前面、少なくとも窓８を覆うような上記前扉２を備えているため、該前扉２を閉塞することにより、窓８からの電力量計の回転子円板や表示部等の視認を遮ることができる。つまり、回転子円板や表示部を視認するためには、前扉２を開放するといった動作が必要となる。したがって、従来では回転子円板等の動きによって在宅の有無が判断されてしまうといった上記問題が生じていたが、本実施形態に係る電力量計収納ケース１によれば、前扉２を開放するといった動作を行わなければ回転子円板等の動きを視認することができないため、上記問題が生じるケースを低減することができ、ひいては防犯性の向上を図ることができる。
また、前扉２の被覆部２ａ後面の略全面に亘って、ゴム製の緩衝部材３８を接着しており、前扉２の閉塞状態において、該緩衝部材３８がケース本体３の前面に密着するようにしている。したがって、前扉２とケース本体３との間への雨水等の進入を防止することができ、雨水等により窓８が汚れる心配もなく、検針を良好に行うことができる。加えて、前扉２の被覆部２ａ後面に緩衝部材３８を取り付けることにより、開閉動作に伴って前扉２とケース本体３とが接触して傷ついてしまうといった事態を防止することができ、電力量計収納ケース１の耐久性の向上、使用に伴う美観の劣化防止等といった効果をも奏することができる。
【００１８】
さらに、ケース本体３に半円柱状の軸４１を突設するとともに、前扉２に突片３１ａを有するヒンジ孔３１が穿設されたヒンジ板３２を設け、ヒンジ孔３１に軸４１を挿通させて前扉２をケース本体３に取り付けている。そのため、前扉２の開放操作による突片３１ａの回動方向への移動が軸４１により制限されることになり、所定の開放角度以上への前扉２の開放が制限される。したがって、本実施形態の電力量計収納ケース１においては、ヒンジ孔３１の中心角を２７０度よりも小さくすることにより、電力量計収納ケース１の壁面設置時等に前扉２が壁面に接触して、前扉２や壁面が損傷してしまうといった事態を防止することができる。
さらにまた、前扉２の回動を制限する別途ストッパ部材を設置・利用するわけではないため、部品点数の増加やストッパ部材の紛失等といった問題が生じないし、前扉２やケース本体３にストッパ部材を設置するための設置スペース等を設ける必要がなく、凹凸の少ない美観に優れた電力量計収納ケース１を提供することができる。
【００１９】
また、カバー部材４に設けられた係止片２０と基板５に設けられた係止部２１との係止により、ケース本体３の組み立てを可能としており、ケース本体３を容易に組み立てることができる。さらに、カバー部材４をステンレス製とするとともに、カバー部材４の下面に切り込みを設けて係止片２０を形成することにより、係止片２０に上下方向での弾性を付与している。したがって、係止片２０と係止部２１との係止を確実に行うことができるとともに、別途取付部材を用いることなく、カバー部材４を基板５に取り付けることができるため、部品点数の削減や作業性の向上等といった効果を奏することができる。
加えて、基板５の外周に沿って周壁２２を設けており、カバー部材４を、その後面開口縁を周壁２２の外周に当接させて基板５に取り付けるようにしている。したがって、カバー部材４の基板５前面での位置決めを容易に行うことができ、取付作業が容易となる上、基板５への取付状態におけるカバー部材４のがたつき等をも防止できる合理的な構成となっている。
【００２０】
なお、本発明の電力量計収納ケースに係る構成は、上記実施の形態に記載した態様に何ら限定されるものではなく、ケース本体、扉体、カバー部材、及び基板に係る構成を、本発明の趣旨を逸脱しない範囲で必要に応じて適宜変更することができる。
【００２１】
たとえば、上記実施形態に記載の電力量計収納ケースでは、扉体を、ケース本体の側面後縁に軸着するとともに、ケース本体の前面全体を覆うように構成しているが、少なくともケース本体に設けられている開口部を覆うのであれば、扉体の取付部、形状、及び開閉機構等は適宜変更可能であり、ケース本体の前面を部分的（たとえば、開口部及びその周縁のみ）に覆うような小型の扉体としてもよいし、扉体をケース本体の前面側縁に軸着したり、スライド操作によって開口部の被覆／開放を行うような扉体としても何ら問題はない。
【００２２】
また、上記実施形態では、緩衝部材を被覆部材と兼用する構成としているが、緩衝部材と被覆部材とを別個に設けるようにしてもよく、たとえばケース本体の開口部に対応する箇所にのみ被覆部材を取り付け、緩衝部材は、扉体の開閉操作に伴いケース本体との接触によって傷がつきやすい適宜箇所に別途取り付けるようにしてもよい。さらに、たとえば屋内に設置する等の理由により被覆部材を取り付けなくとも何ら問題はないし、ケース本体の素材等により緩衝部材の有無等も選択可能であり、被覆部材や緩衝部材の有無、及び取付位置等は適宜変更可能である。
【００２３】
加えて、扉体を軸着するようなものにあっては、軸とヒンジ孔を有するヒンジ板とをケース本体の上部及び下部に夫々設けてもよいし、軸をバネ等の付勢手段により出没自在とし、軸を出没操作してヒンジ板を軸着する、すなわちケース本体に扉体を取り付けるようにしてもよい。また、扉体に軸を設け、ケース本体にヒンジ孔を設けるようにしても何ら問題はない。さらに、扉体の軸着位置や電力量計収納ケースの設置環境によって、ヒンジ孔の中心角、すなわち突部の回動方向への幅を適宜変更設計できることは言うまでもないし、ヒンジ孔を穿設する部分を筒状に形成する等、ヒンジ板の形状についても適宜変更可能である。
【図面の簡単な説明】
【００２４】
【図１】電力量計収納ケースの外観を示した斜視説明図である。
【図２】前扉を開放した状態における電力量計収納ケースを示した斜視説明図である。
【図３】分解状態にある電力量計収納ケースを左前上方から示した斜視説明図である。
【図４】、分解状態にある電力量計収納ケースを左前下方から示した斜視説明図である。
【図５】前扉の後面側を示した斜視説明図である。
【図６】カバー部材を後方から示すとともに、カバー部材の基板への取付状態について示した説明図である。
【図７】軸及びヒンジ板を拡大して示した部分説明図である。
【図８】前扉の開放状態（ａ）及び閉塞状態（ｂ）におけるヒンジ部を拡大して示した部分説明図である。
【符号の説明】
【００２５】
１・・電力量計収納ケース、２・・前扉、２ａ・・被覆部、２ｂ・・折り曲げ部、３・・ケース本体、４・・カバー部材、５・・基板、６・・段部、８・・窓、２０・・係止片、２１・・係止部、２２・・周壁、３１、３１’・・ヒンジ孔、３１ａ、４１’ａ・・突片、３１’ａ・・切り欠き、３２、３４・・ヒンジ板、３３・・軸孔、３５・・長孔、３６・ロック機構、３７・・掛止片、４０・・ヒンジピン、４１・・軸、４２・・小孔、４３・・ロックピン。
【図１】
2008026277.tif 000003
【図２】
2008026277.tif 000004
【図３】
2008026277.tif 000005
【図４】
2008026277.tif 000006
【図５】
2008026277.tif 000007
【図６】
2008026277.tif 000008
【図７】
2008026277.tif 000009
【図８】
2008026277.tif 000010